(57)【要約】【解決手段】容器からバルク材料を計量取出しするために、上側バルク材料充填口（３）と下側バルク材料取出口（５、４５）とを備える容器（１）と、容器内の容器の回転対称底部（３４）の近くに配置されかつ取出口の方に向けられた少なくとも１本の掃引アーム（７６、７４、７２）に駆動式に接続された回転子とを有する装置である。取出すバルク材料の量を極めて正確に計量することができるだけでなく、単純な設計で、保守が極めて容易な容器からバルク材料を取出すための装置を提供するために、掃引アームは、回転子に駆動式に接続された分離要素（５）の下側に取付けられ、分離要素の下の掃引アームの前に静止ゾーンが設けられ、該静止ゾーンは、一方の側で供給口（５６）のみを介してバルク材料に対して開き、他方の側で取出口に対して開いている。【選択図】図５
2009514750.tif 000002
【特許請求の範囲】
【請求項１】
容器からバルク材料を計量取出しするために、上側バルク材料注入口と下側バルク材料取出口とを有し、容器内において容器の回転対称底部の近くに配置されかつ取出口の方に向けられた少なくとも１本の掃引アームに駆動式に接続された回転子を有する装置であって、掃引アームは、回転子に駆動式に接続された分離要素の下側に取付けられ、分離要素の下の掃引アームの前に静止ゾーンが設けられ、該静止ゾーンは、一方の側で供給口を介してバルク材料に対して開き、他方の側で取出口に対して開く装置。
【請求項２】
供給口は、分離要素に形成されている、請求項１に記載の装置。
【請求項３】
底部の上にありかつ回転する分離要素の下に送られるバルク材料ストランドは、分離要素から離間されている、請求項１又は２に記載の装置。
【請求項４】
分離要素は、実質的に容器の中心線に対して直交する方向に延在する板であり、供給口が板に形成されている、請求項１〜３のいずれか１項に記載の装置。
【請求項５】
供給口の有効面は、分離要素の回転軸と実質的に平行に延在する、請求項１〜４のいずれか１項に記載の装置。
【請求項６】
供給ゾーンが供給口の前方に形成された、請求項１〜５のいずれか１項に記載の装置。
【請求項７】
分離要素は、その周囲に沿って底部まで下方に延在するガイド壁を備える、請求項１〜６のいずれか１項に記載の装置。
【請求項８】
供給ゾーンは、分離要素の上側を通る通路によって範囲が定められる、請求項７に記載の装置。
【請求項９】
分離要素の周囲は、供給ゾーンに沿って半径方向内側にずらされている、請求項６又は７に記載の装置。
【請求項１０】
供給口に対して円周方向に離れた掃引アームは、一端が取出口で終端し、他端がガイド壁に連なっている、請求項１〜９のいずれか１項に記載の装置。
【請求項１１】
螺旋状の掃引アームの少なくとも一部分は、ガイド壁の一部を形成する、請求項１０に記載の装置。
【請求項１２】
掃引アームの一部分は、供給ゾーンの範囲を定める、請求項１１に記載の装置。
【請求項１３】
分離要素は、要素の下側の端から立上がる傾斜面を備える、請求項１〜１２のいずれか１項に記載の装置。
【請求項１４】
供給口は、傾斜面の幅の範囲内に形成された、請求項１３に記載の装置。
【請求項１５】
傾斜面は、供給口より高さが高い、請求項１４に記載の装置。
【請求項１６】
追加の掃引アームが、分離要素の下側に取付けられ、掃引アームは、円周方向に互いに離され、ガイド壁の前の半径方向距離が異なる位置から始まる、請求項１〜１５のいずれか１項に記載の装置。
【請求項１７】
静止ゾーンのそれぞれの区分が、各掃引アームの前に形成された、請求項１６に記載の装置。
【請求項１８】
区分は、異なる円周方向の長さを有している、請求項１７に記載の装置。
【請求項１９】
掃引アームの端は、同一の円周方向距離だけ互いに離間して取出口で終っている、請求項１６〜１８のいずれか１項に記載の装置。
【請求項２０】
掃引アームは、取出口の方に直線的に向けられた、請求項１６〜１９のいずれか１項に記載の装置。
【請求項２１】
掃引アームは、渦巻き形状を備える、請求項１６〜１９のいずれか１項に記載の装置。
【請求項２２】
掃引アームは、同じ曲率を備える、請求項２１に記載の装置。
【請求項２３】
バルク材料ストランドの一部が内方に運ばれた後で、他の掃引アームの少なくともいくつかがそれぞれ、ストランドの一部分を反らしかつ取出口まで運び、同時に残りの部分が通ることを可能にする１つの開口部を備える、請求項１６〜２２のいずれか１項に記載の装置。
【請求項２４】
円周方向の輪郭部は、分離要素の上側からそのリムに沿って隆起し、内側容器壁の円周方向のアンダーカットと係合してバルク材料の進入を防ぐ迷路を作製する、請求項１〜２３のいずれか１項に記載の装置。
【請求項２５】
底部を掃引アーム及びガイド壁に押付ける例えばばね等の弾性要素が設けられた、請求項１〜２４のいずれか１項に記載の装置。
【請求項２６】
分離要素の表面は、粘着防止被覆を備える、請求項１〜２５のいずれか１項に記載の装置。
【請求項２７】
分離要素の上側は、円錐と類似した外方にテーパが付いた形に設計された、請求項１〜２６のいずれか１項に記載の装置。
【請求項２８】
容器の底部は、容器に取外し可能に取付けられた、請求項１〜２７のいずれか１項に記載の装置。
【請求項２９】
底部は、バルク材料の種類に従って形状が決められた、請求項１〜２８のいずれか１項に記載の装置。
【請求項３０】
分離要素の上に固定子が設けられ、該固定子は、容器に接続されかつ半径方向に延在する、請求項１〜２９のいずれか１項に記載の装置。
【請求項３１】
固定子は、水平方向にほぼ回転軸まで延在する、請求項１８に記載の装置。
【請求項３２】
固定子は、湾曲している、請求項１８又は１９に記載の装置。
【請求項３３】
分離要素の上に別個の円錐が設けられ、円錐は、半径方向の固定具によって容器壁に接続された、請求項３０〜３２のいずれか１項に記載の装置。
【請求項３４】
分離要素とともに回転する撹拌要素が固定子又は円錐の上方に設けられた、請求項３０又は３１に記載の装置。
【請求項３５】
ロッド形撹拌要素が半径方向に延在する、請求項２２に記載の装置。
【請求項３６】
容器は、秤量セルを備える秤の上に乗っている、請求項１〜３５のいずれか１項に記載の装置。
【請求項３７】
コントローラが、秤量セルからの信号とタイミング要素からの信号とによる実際の吐出処理能力信号を、特定の目標吐出信号と比較し、この比較から分離要素又は容器用のモータアクチュエータの速度の動作信号を生成する、請求項１〜３６のいずれか１項に記載の装置。
【請求項３８】
容器に取付けられた充填扉は、秤量セルから信号を受取るアクチュエータモータによって制御される、請求項１〜３７のいずれか１項に記載の装置。
【発明の詳細な説明】
【技術分野】
【０００１】
本発明は、容器からバルク材料を計量取出しするための装置に関し、該装置は、上側バルク材料充填（てん）口と下側バルク材料取出口とを備え、容器内において容器の回転対称底部の近くに配置されかつ取出口の方に向けられた少なくとも１本の掃引アームに駆動式に接続された回転子を有する。
【背景技術】
【０００２】
文書ＤＥ３９４２５５８Ａ１は、アクチュエータ装置のアームによって連続的に掃引される駆動式掃引アームの上にメッシュ底板が配置された排出装置を有する容器について述べている。既知の排出装置では、掃引されていない排出口上でのバルク材料の不可欠なブリッジングが保証されず、また、これは材料にも依存するので、容器から取出されるバルク材料の計量は不可能である。
【０００３】
文書ＤＥ３３３３１１５Ｃ２は、内側に傾いた円錐（すい）状の容器底部によってバルク材料の圧縮を防ぐ掃引装置により排出可能な燃料庫を開示している。この特許では、傾いた底部領域の勾（こう）配が掃引アームの移送作用を支援し、同時に、バルク材料にかかる圧力を解放する。しかしながら、このタイプの装置は、流動化した材料の自由な流出を防ぐには適していない。
【０００４】
最後に、文書ＤＥ３５０３９９３Ａ１は、流動物質に対する流通抵抗を高める迷路シールを備えた容器の排出装置を開示している。このシールは、中央円錐部の周辺部を閉じ、排出アームの前の領域だけに迷路ギャップを開けておく。しかしながら、この構成は、圧縮されやすいバルク材料が長い移送経路によって圧縮され、そのために排出が不均一になるという欠点がある。
【発明の開示】
【発明が解決しようとする課題】
【０００５】
本発明が解決する根本的な問題は、取出すバルク材料の量を極めて正確に計量することができるだけでなく、単純な設計で、保守が極めて容易な容器からバルク材料を取出すための装置を作製することである。
【課題を解決するための手段】
【０００６】
上側バルク材料充填口と下側バルク材料取出口とを有し、また、容器の内側に容器の回転対称の底部の近くに配置されかつ取出口の方に向けられた少なくとも１本の掃引アームに駆動式に接続された回転子を有する、容器からバルク材料を計量取出しするための、導入部で参照した装置において、本発明では、回転子に駆動式に接続された分離要素の底側に掃引アームが取付けられるとともに、分離要素の下の掃引アームの前に静止ゾーンが設けられ、該静止ゾーンが１つの供給口のみを介してバルク材料に対して開いている。
【０００７】
本発明は、流入するバルク材料を静止させ運ぶ機能を有するハードウェアベースの分離の概念を実現する。この手法によって、流動化されたバルク材料の制御されていない流出と移送領域内での材料の圧縮を防ぐことができる。この機能は、流込むバルク材料に対する本発明による静止ゾーンの障壁分離によって達成され、該障壁分離は供給口まで完全に延在し、それにより、バルク材料の自由な流出が防止される。圧縮されたバルク材料を静止ゾーン内で圧縮されていない状態にすることができ、その結果、均質で時間的に一定で計量された流れのバルク材料が、取出口を介して容器から出る。バルク材料の実際の排出処理能力の変動範囲、すなわち、安定度は、平均の実際の排出処理能力の約０．５〔％〕である。さらに、例えば違う種類のバルク材料に切替えるときに容器を掃除することができるように、あるいは、例えば排出スクリューコンベヤを有する場合のように、更なる障害なしに保守を行えるように、掃除又は交換のために、分離要素（単純な板として実現することができるため有利）を容器から取外すだけでよいので、本発明は極めて保守が容易である。
【０００８】
本発明は、主に、プラスチック産業、化学薬品産業、食品産業、洗剤産業又は製薬産業で使用することができる。
【０００９】
分離要素に供給口が形成されていると有利である。分離要素に関して、分離要素が板であり、その板の上に容器の中心線と直交する方向に延在する供給口が設けられるような、特に単純な設計が推奨される。さらに、供給口の有効面が分離要素の回転軸と実質的に平行に延在することが推奨される。本発明の展開におけるように、供給口の前に供給ゾーンを形成し、そのゾーンに沿って分離要素の周囲を半径方向内側にずらすと、バルク材料の供給が容易になる。あるいは、分離要素が供給ゾーンの通路を有し、この場合、分離要素によって供給ゾーンの範囲が定められる。規定されたバルク材料ストランドの供給は、供給口で分離要素がその下側端から隆起する傾斜面を有し、供給口が傾斜面に形成される場合に、供給口によって更に容易になる。送込まれないバルク材料は、傾斜面によって反らされ、従って均質なバルク材料ストランドの形成が妨げられない。
【００１０】
本発明の分離要素が前述の板である場合、その障壁効果は、板がその周囲に沿った底部まで下方に延在するガイド壁を有するという事実によって改善される。この場合、掃引アームは、一端が排出口で終り、他端がガイド壁に連なる。次に、螺（ら）旋状の掃引アームの少なくとも１つの部分は、供給ゾーンの範囲を有利に定めるガイド壁の一部を形成することができる。分離要素の下にある静止ゾーンと移送ゾーンとの障壁分離を更に改善するために、容器の内壁に当たる分離要素のリムに、例えば、この分離要素のリムに沿って円周方向に分離要素の表面から隆起する輪郭部を有することによって迷路を作製することができ、輪郭部は、容器の内壁の円周アンダーカットと係合する。それに代え、あるいは、それに加えて、静止ゾーンと移送ゾーンとを画定する分離要素のリムに底部を押付ける、例えば、ばね等の弾性要素を提供することができる。
【００１１】
特に重要なことは、底部に配置され回転する分離要素の下で送られるバルク材料ストランドが、分離要素から離れている、すなわち、必要な移送動作を除き分離要素によって運ばれないように分離要素を設計することである。本発明の特に有利な実施形態において、複数の掃引アームが、分離要素の下側に取付けられ、前記掃引アームは、互いに円周方向に離間され、ガイド壁の前の異なる距離から始まることができる。これにより、送込まれたバルク材料ストランドの既に圧縮されていない状態になっている縁領域を、円周方向の後に続く掃引アームに到達する前に取出口に運ぶことができる。送込まれたバルク材料ストランドの分離によって、それぞれ個々の掃引アームに加わる負荷を減少させることができ、従ってバルク材料ストランドの圧縮を減少させることができる。バルク材料の種類によっては、一本以上の掃引アームの各々に画定された通路を備えることが推奨される。それにより、十分に落着いていないために関連する掃引アームによって運ばれないバルク材料ストランドの一部を後に続く掃引アームに到達させることができる。さらに、これにより、個々の掃引アーム上の負荷を減少させて、バルク材料ストランドの圧縮を打消すことができる。バルク材料を取出している間に容器を正確に秤（ひょう）量することができるように、他の掃引アームを取出口に円周方向に等しい距離で終端させることが推奨される。掃引アームはすべて、同一の渦巻き形状であると有利である。
【００１２】
容器を完全に空にするために、本発明の展開においては、分離要素の表面に円錐状の外側にテーパが付けられる。これにより、完全に空にするのが容易になるだけでなく、供給ゾーンへのバルク材料の流れが促進される。さらに、分離要素の上に固定子を設けると有利である。該固定子は容器に接続され、分離要素のほぼ回転軸まで半径方向に、有利には水平方向に延在し、バルク材料が分離要素と一緒に回転するのを防ぐ。固定子が湾曲している場合は、バルク材料を外側の供給ゾーンにも運ぶ。上述の円錐が、分離要素と別の静的取付具として実現され、半径方向の固定具によって容器壁に沿って支持されることが好ましい場合は、固定具は固定子の機能を持つことができ、その結果、別の固定子が不要になる。
【００１３】
バルク材料の流れを容易にするために固定子の上に少なくとも１個の撹（かく）拌要素を設けことが更に有利であり、この場合、この要素は、分離要素とともに回転させられる。充填を改善するために、撹拌要素が供給ゾーンに対して回転方向に先行していることが推奨される。
【００１４】
取出すバルク材料の流れを指定された目標吐出量に調整するために、本発明の一実施形態は、分離要素を駆動する制御可能なモータ用の制御回路を提供する。容器が乗っている秤（はかり）は、現在の容器重量をコントローラに実信号として送り、コントローラは、受取った実信号をタイミング要素からの時間信号と組合せて実際の吐出量信号を生成し、これを指定された目標吐出量と比較する。比較値は、モータの速度についての動作信号である。さらに、秤からの実信号が、容器の最低充填レベルと等しい指定された最低容器重量と等しいときに、容器の充填口が開かれ、それにより、容器が補充することができると更に有利である。
【発明を実施するための最良の形態】
【００１５】
本発明の他の有利な実施形態は、主に分離要素の有利な設計を含み、かつ、独立した開示手段と考えられる従属請求項に示される。本発明の非限定的な実施形態を添付図面に基づいて以下に詳細に説明する。
【００１６】
供給容器２５からバルク材料を計量取出しするための装置は、例えば、ステンレス鋼から成る円筒状容器１を有し、上側バルク材料充填口３は、中間接続部品２６によって、供給容器２５のバルク材料出口の充填扉２３に接続されている。計量取出し装置は、容器の一体的な構成要素であってもよい。さらに、装置は、手作業、クレーン、類似の装備等によって充填口３から充填することができる差動計量秤の形の独立型ユニットであってもよい。
【００１７】
図に示される実施形態では、容器は、複数の秤量セル２及び３２を有する秤に乗っている。容器１の外側には、この例では容器上の中心に駆動モータ４が配置され、モータの駆動軸６は、容器の中心に延在し、その自由端が分離要素５の中心を支持している。モータ４によって矢印３３の方向に駆動される分離要素５は、容器１内のバルク材料供給源から計量した量のバルク材料を容器１の周辺部から取出し、それを容器１の底部の中央吐出口７に運び、該中央吐出口７を通して計量された流量のバルク材料が連続的に放出される。
【００１８】
図２〜５に示したように、分離要素５は、駆動軸６を横切って延在しかつ低摩擦コーティングを備えることができる滑らかで実質的に平坦（たん）な面を有する円形の板５０の形状を有する。後で説明する供給ゾーンと供給口とまで、板５０は、容器の内径より１０分の数ミリメートルだけ小さい径を有する円形である。いずれしても、板５０の周辺部は、バルク材料が板５０と容器の内壁１０との間を通過することができないほど内壁１０に極めて接近し、前述の凹部に嵌（はま）っている。
【００１９】
板５０は、その周辺部の下に、底部３４のすぐ上まで延在し、従ってバルク材料が通るのを防ぐ障壁を形成する下方に突出する円周方向のリムガイド壁５２を備える。したがって、ガイド壁５２と板５０との下面は、底部３４とともに、静止ゾーン（settling zone ）を取囲んでおり、該静止ゾーンは供給口５６だけを通してバルク材料に対して開かれており、中央においては、取出口４５を介して吐出口７に通じている。この静止ゾーンは、図に示した例では、回転方向３３に対して連続的に配置された３つの区分５５、５７及び５９から成り、これらの区分については後で説明する。
【００２０】
規定量のバルク材料が、供給口５６から静止ゾーンの第１の区分５５に入ることができるようにするために、バルク材料の供給ゾーン６０が作られている。これは、ガイド壁の範囲画定部分５３が、内壁１０から半径方向内側に、したがって、板５０の周辺部から半径方向内側に湾曲し、その結果供給ゾーン６０が、供給口５６まで半径方向に鎌形に拡張するように作られている。静止ゾーンの第１の区分５５は、ストリップ５１によって半径方向内側の範囲が定められており、ストリップ５１は、板５０の下面から隆起し、板５０と同じ曲率を有し、第１の掃引アーム７６の始点近くまで円周方向に延在している。静止ゾーンの第２の区分５７は、第１の掃引アームの始点から、第１の掃引アームの外側に沿って、第２の掃引アーム７４の始点まで延在し、静止ゾーンの第３の区分５９は、第２の掃引アーム７４の外側から、部分５３によって部分的に形成された第３の掃引アーム７２の始点まで延在する。
【００２１】
供給ゾーン６０の半径方向の拡がりが最も大きな場所に、板５０の下面に傾斜面５８が形成される。該傾斜面は、ガイド壁５２の始点の下縁と、部分５３の更に半径方向内側の端の下縁とから板５０の上面まで上昇している。この長方形の供給口５６は、実質的に平らな傾斜面５８に、ほぼ傾斜面５８の高さより低い指定された高さとなるように加工されている。さらに、供給口５６は、傾斜面５８の幅より小さい幅を有し、傾斜面５８の外縁から大きい距離だけ離されている。
【００２２】
図５は、容器がバルク材料で満たされ、かつ、板５０が容器１に対して完全に１回転された後で板５０の下側を底部３４の側から観た図を示し、この図で分かるように、バルク材料は、斑（はん）点領域によって示したように、供給ゾーン６０内の底部３４上にだけある。板５０が方向３３に連続的に回転すると、このバルク材料から、供給口５６を介してバルク材料ストランド４０が取込まれ、バルク材料ストランド４０は、掃引アーム７２、７４及び７６によって取出口４５に運ばれ、この取出口から吐出口７に運ばれる。
【００２３】
掃引アームはすべて、ガイド壁５２及びその部分５３と同じ高さで板５０の下面から隆起している。さらに、掃引アームはすべて同じ曲率を備える。供給口５６から最も遠い掃引アームである第３の掃引アーム７２は、ガイド壁５２から始まり、板５０の中心に向かって内方に螺旋状に湾曲し、取出口４５の上で終っている。掃引アーム７２は、傾斜面５８の下縁まで部分５３と同一である。第２の掃引アーム７４も螺旋状に湾曲し、また、取出口４５の上で終端し、供給口５６より後ろに約１８０度の円周角で配置され、ガイド壁５２内である距離だけ半径方向に離れたカッティングエッジ７３で始まる。この距離は、バルク材料ストランド４０の幅の約３分の１にガイド壁５２からのストランド４０の距離を加えたものに対応する。また、供給口の最も近くに配置された第１の掃引アーム７６は、取出口４５の上で終端し、板５０の中心に向かって内方に螺旋状に湾曲し、カッティングエッジ７５から始まる。このカッティングエッジ７５は、供給口５６より後ろに約４５度の円周角で配置され、バルク材料の流れ４０の幅の約３分の２にガイド壁５２からのストランド４０の距離を加えたものに対応するガイド壁５２からの距離にある。
【００２４】
板５０が回転するとき、掃引アーム７２、７４及び７６の前述の配置によって、最初に供給口５６の後ろから区分５５に送られたバルク材料の流れ４０は、互いに別々に取出口４５まで送られる３つのバルク材料ストランド４２、４４及び４６に順次分けられる。供給口の配置及び設計によって、バルク材料ストランド４０は、回動板５０から十分な距離だけ離れたままであり、例えば、ガイド壁５２やストリップ５１若しくは板５０の下面と接触しない。したがって、静止ゾーンの第１の区分５５内で、送込まれたバルク材料ストランド４０は十分に落着き、すなわち、その組成の不均一さが減少し、その結果、ストランド４０の内側の少なくとも約３分の１部分４６が落着いたと考えることができる。この結果、最初にこの３分の１部分４６を第１の掃引アーム７６によって取出口４５まで運ぶことができる。したがって、掃引アーム７６にはストランド４０の一部分だけが充填され、その結果、部分的ストランド４６の再圧縮は、あるとしても極めてわずかになる。
【００２５】
最初の３分の１の分離後、残りのストランドが、引続き静止ゾーンの第２の区分５７内において主にその縁で静止し、それにより、ストランド４０の第２の３分の１部分４４を第２の掃引アーム７４によって取出口まで運ぶことができる。バルク材料ストランド４０の残りの３分の１部分４２が、静止ゾーンの第３の区分５９内で更に落着いた後、この３分の１を第３の掃引アーム７２によって運ぶことができる。静止ゾーンの個々の区分５５、５７及び５９はそれぞれ、それぞれの掃引アーム７６、７４及び７２がそれぞれのバルク材料ストランドと出会ってそれを取出口４５まで運び始める場所で終っている。ここで、送込まれたバルク材料ストランド４０が、最初に静止ゾーンの区分５５、５７及び５９内で静止され、その後でようやく掃引アームによって取出口４５まで運ばれるという概念が実現されることは明らかである。また、本発明は、１本の掃引アーム（例えば、掃引アーム７２）だけで実現することもでき、その場合は、それに応じて静止ゾーンが延長される。
【００２６】
バルク材料ストランド４０を部分ストランド４６、４４及び４２に分割することは、個々の掃引アーム７６、７４及び７２に加わる負荷をできるだけ小さく維持する働きをし、したがって、静止後のバルク材料の再圧縮をできるだけ小さく維持する働きをする。さらに、ストランド４０と、部分ストランド４２、４４及び４６との移送経路は、移送中のバルク材料の再圧縮をできるだけ低く維持するために、できるだけ短くされる。移送経路の最小長さは、取出口４５の開始点からストランド４０の外縁の距離によって決定される。したがって、図に関係なく、円形の取出口４５の選択された径は極めて大きくてもよく、その場合、掃引アームは取出口まで真直ぐに延在させることができる。
【００２７】
図６の板６５は、まず、板６５が全体的に円形である点が板５０と異なる。その結果、リムガイド壁６２が、板６５の円周全体を取囲んでいる。さらに、ストランド４０のための静止ゾーンの区分６９がきわめて長く、供給口５６の後ろに約１５０度続く。したがって、静止ゾーンの円周方向に連続する区分６３及び６４は、より短い設計になる。ストリップ６１は、これに対応する長さのものである。供給ゾーン６０は、板６５内の通路によって作製され、その結果、供給ゾーン６０は、リムガイド壁６２の一部分により外側の範囲が定められる。更に図６から明らかなように、３本の掃引アーム６６、６７及び６８は、同じ円周距離だけ互いに離間した状態で取出口の上で終っていない。
【００２８】
図７及び８の板８０は（図７は図５と同じ視点で観た図を示す）、板５０と掃引アームの設計が異なる。図５に示した部分と同一の部分は、同一の参照符号で示されている。第１の掃引アーム８７は、その長手方向の範囲の真中に、掃引アーム８７の自由端である下側から始まりほぼストランド４０の幅を有する開口部８８を有する。同様に、円周方向に続く掃引アーム８３は、その長手方向の範囲の最後のほぼ３分の１の部分に、掃引アーム８３の自由端である下側から始まり、開口部８８より幾分小さい幅を有する開口部８６を有する。
【００２９】
供給口５６を介して送込まれたストランド４０は、ストランドが第１の掃引アーム８７によって内方に押される、すなわち、運ばれるまで、ストリップ８１によって内側の範囲が定められた静止ゾーンの第１の区分８５内で圧縮されていない状態になることができる。この移送中に、ストランドは、通常、堆（たい）積して高さが高くなり、開口部８８がその上側部分４６を集め、ストランド４０の下側部分を静止ゾーンのその後に続く区分８４に通すことを可能にし、一方、ストランド４６の集められた部分は、更に第１の掃引アーム８７によって取出口４５まで運ばれる。ストランドの下側部分は、掃引アーム８３によって内方に押されるまで区分８４内で静止し続けることができる。この場合も、高さが高くなり、開口部８６から収集され、部分ストランド４４として掃引アーム８３によって取出口４５に運ばれる。開口部８６を通った部分ストランド４２は、再び、静止ゾーンの区分８９内で圧縮されていない状態になり、第３の掃引アーム８２によって取出口４５まで運ばれる。
【００３０】
移送原理の効率は、本質的に、掃引アームと底部３４とに対するバルク材料の摩擦状態の関数である。このため、バルク材料ストランドと接触する掃引アームの表面は、滑らかな設計である。底部３４に対するバルク材料の摩擦抵抗を大きくするために、底部は、ストランド４０が分離要素５とともに回転するのを防ぐために凹凸のある設計である。巨視的な凹凸は、例えば、半径方向に形成された出張りと溝とを表す。微視的な凹凸は、例えば、エッチング又はサンドブラストによって、また、同様に、被覆の付着によって達成することができる。このために、底部３４を容器から取外しすることができるように設計することが総合的に有利であり、それにより掃除が単純化され、特定のバルク材料に最適な底部の選択が可能になる。バルク材料の通過を防ぐ障壁効果を高めるために、例えば、ばね、エラストマー等のプリテンション要素によって底部３４を板５０のガイド壁５２に下から押付けてもよい。この機能はセラミック等の耐摩耗性材料によって実現される。
【００３１】
図９は、障壁効果を改善するための補足又は代替の考えられる手法を示す。分離要素５のリムの上側に、有利には斜め外方に隆起し分離要素５を取囲む輪郭部９０を形成することができ、該輪郭部は、容器の内壁１０の下端にある円周方向のアンダーカット９１と係合する。次に、分離要素５のリムは、容器の内壁１０の切欠き９２内に延在する。この方法により、バルク材料の迷路を作製することができ、該迷路は、バルク材料が分離要素５を通って取出口に入るのを防ぐ。
【００３２】
また、説明した装置の一部は、モータ４の駆動及び速度を制御するコントローラ８である。容器１が乗るこの秤は、例えば、歪（ひず）みゲージ２、３２の形の秤量セルを有し、該秤量セルの出力信号は、容器の重量を表し、ケーブルＸを介してコントローラ入力に供給される。コントローラ８で、これらの出力信号は、タイミング要素によって供給されるタイミング信号と組合わされる。得られた組合せ信号は、装置を通るバルク材料の現在の実際の排出処理能力を、単位時間当りの所定の重量減少の形で表す。次に、コントローラ８で、組合せ信号が、所望の排出処理能力を表す基準信号と比較される。排出処理能力が速度にほぼ比例するので、この比較によって、ケーブルＹを介してモータに送られるモータ４の速度についての動作信号が得られる。分離要素の速度は、機能的な制限を受けない。多くの用途には、約０．５〜１０〔ｒｐｍ〕の速度が推奨される。
【００３３】
秤量セル（歪みゲージ２、３２）からの出力信号は、具体的には図示していない比較器ユニットを介してモータアクチュエータ２４に送られる。このユニットには、バルク材料の種類の関数としてそれぞれ調整可能な２つのパラメータ、具体的には低い側で超えることができないバルク材料の入った容器の最小重量と、超えることができない容器１の最大重量とが記憶される。秤量セルからの出力信号が最小重量に達すると、比較器ユニットはモータアクチュエータ２４に充填扉２３を開かせ、それにより、容器１にバルク材料が充填される。前述の出力信号が最大重量になると、アクチュエータモータ２４が充填扉２３を閉じる。
【００３４】
特定のバルク材料を計量するためには、分離要素５の表面が平らではなく隆起した円錐形であり、換言すると、分離要素５の上面が半径方向外側にテーパするように形成されると有利である。その結果、内側から供給ゾーン６０と供給口５６とに向かう半径方向外側へのバルク材料の流れが支援され、従って容器１が完全に空になるのを助ける。この円錐は、分離要素５と別の構成要素でよく、該構成要素は、分離要素の上に固定式に配置され、かつ、半径方向の固定具によって容器１に接続されている。
【００３５】
本発明の補足的な実施形態においては、図１０の容器１は、分離要素５の上に設けられた固定子９を備えており、該固定子は、少なくとも分離要素とバルク材料とが一緒に回転するのを妨げ、最も好ましいケースでは防ぎ、また、容器が完全に空になるのを助ける。円錐が別々の構成要素の場合は、固定具が固定子の機能を持つことができ、この場合、固定子は不要となる。図１０に示したように、固定子９は、ほぼ分離要素５の回転軸の近くまで半径方向に延在し、分離要素の回転方向に対してわずかに湾曲し、それにより内側のバルク材料が半径方向外側に供給ゾーン６０まで運ばれる。さらに、駆動軸６に結合され、バルク材料の流れを助ける少なくとも１個の半径方向に延在する撹拌要素２１が設けられると有利である。
【００３６】
本発明の単純化した実施形態では、コントローラが省略されてもよい。この場合、モータ４に一定の動作信号が送られ、それにより、モータ速度にほぼ比例する特定の流量処理能力が設定される。
【００３７】
分離要素の駆動に関して本発明にとって明らかに重大なことは、分離要素が容器に対して回転することだけである。したがって、分離要素が静的に取付けられ、例えば駆動軸６によって容器が回転される手法は、本発明の範囲内にある。
【図面の簡単な説明】
【００３８】
【図１】バルク材料を計量取出しするための本発明の特徴を備えた装置の概略側面図である。
【図２】図１の装置の板状分離要素の概略側面図である。
【図３】図２の部分Ｂの概略図である。
【図４】図１の分離要素の概略平面図である。
【図５】バルク材料を斑点で示した図４の分離要素の下方から観た概略図である。
【図６】第２の実施形態の分離要素の下方から観た概略図である。
【図７】第３の実施形態の分離要素の下方から観た概略図である。
【図８】図７の分離要素の概略斜視図である。
【図９】容器及び分離要素の一部分の概略縦断面図である。
【図１０】図１の装置の細部の概略平面図である。
【図１】
2009514750.tif 000003
【図２】
2009514750.tif 000004
【図３】
2009514750.tif 000005
【図４】
2009514750.tif 000006
【図５】
2009514750.tif 000007
【図６】
2009514750.tif 000008
【図７】
2009514750.tif 000009
【図８】
2009514750.tif 000010
【図９】
2009514750.tif 000011
【図１０】
2009514750.tif 000012
【国際調査報告】
2009514750.tif 000013
2009514750.tif 000014
2009514750.tif 000015
2009514750.tif 000016